(57)【要約】【課題】本考案は、使用感が良好であるとともに、変色、脱色、色移り等の性能上の問題やタオルの隅部分の反り等の品質上の問題がなく高性能、高品質を有する保冷タオルを提供するものである。【解決手段】本考案に係る保冷タオル１は、四角形状のタオル状形態でポリビニルアルコール樹脂材からなり四隅を丸めたシート状の保冷材２と、保冷材２の両面に添着した保冷材２と同形状で多数の通気孔４を全体にわたって設けたポリエステル、ナイロン、レーヨン、アクリル等の素材の内のいずれかから選定した素材からなるシート状の２枚の側生地３、３と、一方の側生地３、保冷材２及び他方の側生地３が重なり合う外周縁部全体にわたって設けたロックミシンの縢り縫いによる外周縁逢着部５と、を有するものである。【選択図】図２
0003177064.tif 000002
【実用新案登録請求の範囲】
【請求項１】
タオル状形態でシート状の保冷材と、
前記保冷材の両面に添着した前記保冷材と同形状で通気性を有するシート状の２枚の側生地と、
一方の側生地、保冷材及び他方の側生地が重なり合う外周縁部全体にわたって設けたロックミシン逢着による外周縁逢着部と、
を有することを特徴とする保冷タオル。
【請求項２】
タオル状形態でポリビニルアルコール樹脂材からなるシート状の保冷材と、
前記保冷材の両面に添着した前記保冷材と同形状で多数の通気孔を全体にわたって設けたポリエステル、ナイロン、レーヨン、アクリル等の素材のいずれかから選定した素材からなるシート状の２枚の側生地と、
一方の側生地、保冷材及び他方の側生地が重なり合う外周縁部全体にわたって設けたロックミシン逢着による外周縁逢着部と、
を有することを特徴とする保冷タオル。
【請求項３】
四角形状のタオル状形態でポリビニルアルコール樹脂材からなるシート状の保冷材と、
前記保冷材の両面に添着した前記保冷材と同形状で多数の通気孔を全体にわたって設けたポリエステル、ナイロン、レーヨン、アクリル等の素材のいずれかから選定した素材からなるシート状の２枚の側生地と、
一方の側生地、保冷材及び他方の側生地が重なり合う外周縁部全体にわたって設けたロックミシンの縢り縫いによる外周縁逢着部と、
を有することを特徴とする保冷タオル。
【請求項４】
長方形状のタオル状形態でポリビニルアルコール樹脂材からなるシート状の保冷材と、
前記保冷材の両面に添着した前記保冷材と同形状で多数の通気孔を全体にわたって設けたポリエステル、ナイロン、レーヨン、アクリル等の素材のいずれかから選定した素材からなるシート状の２枚の側生地と、
一方の側生地、保冷材及び他方の側生地が重なり合う外周縁部全体にわたって設けたロックミシンの縢り縫いによる外周縁逢着部と、
前記外周縁逢着部の内方における一方の側生地、保冷材及び他方の側生地が重なり合う領域において、長辺と平行に若しくは短辺と平行に又は長辺、短辺に各々平行に設けたキルティング加工部と、
を有することを特徴とする保冷タオル。
【考案の詳細な説明】
【技術分野】
【０００１】
本考案は、保冷タオルに関し、詳しくは、高温期における使用感が良好で、かつ、高性能、高品質な保冷タオルに関するものである。
【背景技術】
【０００２】
従来、例えば、首巻きタオルや熱さまし用に身体の一部に当てて使用する保冷用具等として用いられるタオル形態の保冷具としては、ポリビニルアルコール（ＰＶＡ）樹脂材でシート状に形成した保冷具が知られている。
【０００３】
しかし、従来のこの種の保冷具の場合、折り畳んで乾かすと重なりあったポリビニルアルコール樹脂材同士がくっついてしまいその表面部分の破損につながったり、表面に汚れが付いたり、強い洗剤を使用して又は重点的に一部分を洗ったりするとその部分が変色したりするという問題があった。
【０００４】
また、洗えば保冷具自体の色が徐々に脱色していき最終的には白くなってしまうという脱色の問題もあった。
【０００５】
更に、従来のこの種の保冷具の場合、常にポリビニルアルコール樹脂材を湿らせた状態で使用するため、この保冷具を例えば白色の衣服に接触させて使用すると、衣服に保冷具の色が移ってしまい、衣服が着色してしまうという不都合な問題もあった。
【０００６】
次に、従来のこの種の保冷具において、保冷材と綿材等からなる側生地とを重ね、その四辺をヘム巻（帯状の生地を織り込み縫い付ける処理方法）縫製加工したものも知られているが、ヘム巻を採用した場合、生地を付けた部分が厚くなってしまうため、カビが生じ易いという問題があった。
【０００７】
このような保冷具において、保冷材としてポリビニルアルコール樹脂材を使用した場合には、ポリビニルアルコール樹脂材は伸縮性が良いため、ヘム巻によって皺や商品のゆがみ（四隅の部分が反ってしまう等）が起き易いという問題も包含していた。
【０００８】
特許文献１には、不透水性布地又はシートを使用しミシン縫いで袋体を形成するとともに、その内部に吸水性ポリマーを内蔵し、ステッチ縫合して複数のエリアに分割した構成からなり、吸水性ポリマーにより水分を吸収及び発散させるようにした吸水パッドが知られている。
【先行技術文献】
【特許文献】
【０００９】
【特許文献１】特許第４３９４１６０号公報
【考案の概要】
【考案が解決しようとする課題】
【００１０】
本考案が解決しようとする問題点は、使用感が良好であるとともに、変色、脱色、色移り等の性能上の問題やタオルの隅部分の反り等の品質上の問題がない高性能、高品質な保冷タオルが存在しない点である。
【課題を解決するための手段】
【００１１】
本考案に係る保冷タオルは、タオル状形態でシート状の保冷材と、前記保冷材の両面に添着した前記保冷材と同形状で通気性を有するシート状の２枚の側生地と、一方の側生地、保冷材及び他方の側生地が重なり合う外周縁部全体にわたって設けたロックミシン逢着による外周縁逢着部と、を有することを最も主要な特徴とする
【考案の効果】
【００１２】
請求項１記載の考案によれば、保冷材両面に脱色、変色、色移りの生じ難く、かつ、堅牢度の強い素材からなり通気性を有する２枚の側生地を添着し、これらの外周縁部全体にわたってロックミシンの縢り縫いによる外周縁逢着部を設けたものであるから、使用感が良好であるとともに、変色、脱色、色移り等の性能上の問題やタオルの隅部分の反り等の品質上の問題がなく、更に、保冷材への水分の浸透や、保冷材から外部への水分の放散も良好であり、高性能、高品質を有する保冷タオルを実現し提供することができる。
【００１３】
請求項２記載の考案によれば、タオル状形態でポリビニルアルコール樹脂材からなるシート状の保冷材と、保冷材の両面に添着した前記保冷材と同形状で多数の通気孔を全体にわたって設けたポリエステル、ナイロン、レーヨン、アクリル等の素材のいずれかから選定した素材からなるシート状の２枚の側生地と、一方の側生地、保冷材及び他方の側生地が重なり合う外周縁部全体にわたって設けたロックミシン逢着による外周縁逢着部とを有する構成としたものであるから、使用感が良好であるとともに、変色、脱色、色移り等の性能上の問題や隅部の反り等の品質上の問題がなく、更に、２枚の側生地には通気孔を設けているので、保冷材への水分の浸透や、保冷材から外部への水分の放散も良好であり、高性能、高品質を有する保冷タオルを実現し提供することができる。
【００１４】
請求項３記載の考案によれば、四角形状のタオル状形態でポリビニルアルコール樹脂材からなるシート状の保冷材と、前記保冷材の両面に添着した前記保冷材と同形状で多数の通気孔を全体にわたって設けたポリエステル、ナイロン、レーヨン、アクリル等の素材のいずれかから選定した素材からなるシート状の２枚の側生地と、一方の側生地、保冷材及び他方の側生地が重なり合う外周縁部全体にわたって設けたロックミシンの縢り縫いによる外周縁逢着部とを有する構成としたものであるから、請求項２記載の考案の場合と同様使用感が良好であるとともに、変色、脱色、色移り等の性能上の問題や隅部の反り等の品質上の問題がなく、更に、更に、２枚の側生地には通気孔を設けているので、保冷材への水分の浸透や、保冷材から外部への水分の放散も良好であり、高性能、高品質を有する保冷タオルを実現し提供することができる。
【００１５】
請求項４記載の考案によれば、請求項２又は３記載の考案の場合と同様な効果を奏するとともに、キルティング加工部を付加しているので、外周縁逢着部を縢り縫い処理した保冷タオルの強度補強を図ることもできる保冷タオルを実現し提供することができる。
【図面の簡単な説明】
【００１６】
【図１】本考案の実施例に係る保冷タオルの概略平面図である。
【図２】本実施例に係る保冷タオルの部分拡大概略断面図である。
【図３】本実施例に係る保冷タオルの外周辺縁部の縢り縫い部分の拡大説明図である。
【図４】本実施例に係る保冷タオルの外周辺縁部の縢り縫い部分の拡大断面図である。
【図５】本実施例に係る保冷タオルの変形例の概略平面図である。
【考案を実施するための形態】
【００１７】
本考案は、使用感が良好であるとともに、変色、脱色、色移り等の性能上の問題やタオルの隅部分の反り等の品質上の問題がなく高性能、高品質を有する保冷タオルを提供するという目的を、四角形状のタオル状形態でポリビニルアルコール樹脂材からなるシート状の保冷材と、前記保冷材の両面に添着した前記保冷材と同形状で多数の通気孔を全体にわたって設けたポリエステル、ナイロン、レーヨン、アクリル等の素材のいずれかから選定した素材からなるシート状の２枚の側生地と、一方の側生地、保冷材及び他方の側生地が重なり合う外周縁部全体にわたって設けたロックミシンの縢り縫いによる外周縁逢着部と、を有する構成により実現した。
【実施例】
【００１８】
以下、本考案の実施例に係る保冷タオルについて図面を参照して詳細に説明する。
本実施例に係る保冷タオル１は、図１、図２に示すように、長方形状のタオル状形態に形成された例えば保水性の良好なポリビニルアルコール（ＰＶＡ：polyvinyl alcohol）樹脂材からなり例えば四隅を丸めたシート状の保冷材２と、前記保冷材２の両面に添着した前記保冷材２と同形状で多数の微小サイズの通気孔４を全体にわたって設けたポリエステルやナイロン、レーヨン、アクリル等の素材のいずれかから選定した素材からなるシート状の２枚の側生地３、３と、一方の側生地３、保冷材２及び他方の側生地３が重なり合う外周縁部全体にわたって設けたロックミシンの縢り縫いによる外周縁逢着部５と、を有している。
図示する実施例では、四隅を丸めたシート状の保冷材２として説明しているが、本考案においては、保冷材２の形状としてはシート状であれば良く、四隅を丸めたシート状である必要はない。保冷材２としては、例えば、単なる四角形状のシート状であっても良いことは勿論である。
更に、保冷材２の形状としては、四隅を丸めたシート状、単なる四角形状のシート状の他、円形状、三角形、長方形、正四角形、多角形等々をはじめとして各種形状のものとして実施できる。
【００１９】
本実施例に係る保冷タオル１のサイズ例としては、図１に示すように、長さＬ＝８０ｃｍ×幅Ｗ＝１４ｃｍ、又は、長さＬ＝８０ｃｍ×幅Ｗ＝５ｃｍ等の例を挙げることができるが、その長さＬ、幅Ｗは特に限定するものではない。
前記保冷材２としてのポリビニルアルコール材の厚さは、ロックミシンの縢り縫い処理を考慮して厚さ１〜２ｍｍに設定している。
【００２０】
前記側生地３、３の素材としては、例えば、ポリエステル１００％素材、ナイロン素材、レーヨン素材、アクリル素材中から選定されるいずれかの素材からなり、脱色、変色、色移りの生じ難く、かつ、堅牢度の強いものを用いている。
また、その厚さもロックミシンの縢り縫い処理を考慮して厚さ１〜２ｍｍに設定している。
【００２１】
次に、前記外周縁逢着部５について図３、図４を参照して詳述する。
【００２２】
前記外周縁逢着部５は、一方の側生地３、保冷材２及び他方の側生地３が重なり合う外周縁部に対して、添糸６を添着し、この状態でロックミシンを用いた縫い糸７による縢り縫い処理により形成するものである。
【００２３】
すなわち、図３、図４に示すように、一方の側生地３、保冷材２、他方の側生地３の各端縁部及び添糸６の外周をほぼ覆うように、ロックミシンの縢り幅を添糸６の太さサイズと略同等とし、かつ、縫い糸７による縢り縫いのピッチを縢り縫いが完了した時点で前記添糸６が外部から見えない程度に細かいピッチとしつつロックミシンにより保冷タオル１の外周縁部全体に縢り縫い処理を施すものである。
【００２４】
次に、本実施例に係る保冷タオル１の作用、効果について以下に説明する。
【００２５】
本実施例に係る保冷タオル１によれば、上述したように、保冷材２の両面に脱色、変色、色移りの生じ難く、かつ、堅牢度の強い素材からなる２枚の側生地３、３を添着し、これらの外周縁部全体にわたってロックミシンの縢り縫いによる外周縁逢着部５を設けた構成としている。
【００２６】
従って、側生地３、３に対しては汚れが吸着しに難いので、汚れが付き難く、付いても堅牢度の強い素材の色に保冷タオル１の色が起因しているため重点的に洗っても色落ちが目立ち難く、また、側生地３、３により保冷材２の両面を覆っているため、従来例で述べたような衣服等への色移りが生じるという事態も回避できる。
【００２７】
すなわち、ポリビニルアルコール樹脂材のみからなる保冷具とは違い、汚れ難く、給水力を保ちながら見た目や使い易さ（汚れ難い、洗い易い、色落ちが目立たない）を改善できる利点を有するものである。
【００２８】
更に、側生地３、３には、多数の微小サイズの通気孔４を設けているので、保冷材２へ水分を含ませる際の水分の浸透や、保冷材２から外部への水分の放散も良好となり、カビが生じ難いという利点もある。
【００２９】
また、本実施例に係る保冷タオル１によれば、保冷タオル１自体の外周縁部全体にわたってロックミシンの縢り縫いによる外周縁逢着部５を設けたことによって、保冷材２であるポリビニルアルコール樹脂材の伸縮性に対応でき、保冷タオル１自体の四辺部分が膨らまず商品の見栄えが良くなるとともに、使用感も良いという効果を発揮する。
【００３０】
更に、ロックミシンによる縢り縫い処理は、内から外に向かって縫い糸７を縫って行くため、外周縁部に対して横方向の伸縮性が良好で商品である保冷タオル１の外周縁隅部が従来例のように反ることは無いという効果を発揮する。
【００３１】
以上述べたように、本実施例に係る保冷タオル１は、例えば身体の首等に巻いて使用するとき、使用感が良好であるとともに、変色、脱色、色移り等の性能上の問題やタオルの隅部分の反り等の品質上の問題がない高性能、高品質な保冷タオル１を実現し提供することができる。
【００３２】
図５は、本実施例に係る保冷タオル１の変形例である保冷タオル１Ａを示すものであり、基本的構成は保冷タオル１の場合と同様であるため、図面上、同一要素には同一符号を付して示す。
【００３３】
この変形例の保冷タオル１Ａは、同図に示すように、前記外周縁逢着部５の内方における一方の側生地３、保冷材２及び他方の側生地３が重なり合う領域において、長辺、短辺に各々平行に例えばミシン加工によるキルティング加工部１１を設けたことが特徴である。
【００３４】
この場合、キルティング加工部１１の形成領域は、図５に示す場合の他、長辺のみに平行なキルティング加工部１１を設けた構成、短辺のみに平行なキルティング加工部１１を設けた構成等種々の態様のものを採用することができ、特に限定するものではない。また、キルティング加工部１１の形成間隔や形成個数も特に限定するものではない。
【００３５】
図５に示す変形例の保冷タオル１Ａによれば、既述した実施例に係る保冷タオル１の場合と同様な作用、効果を発揮することに加えて、キルティング加工部１１の形成によって、外周縁逢着部５を縢り縫い処理した保冷タオル１Ａの強度補強を図ることができるという効果を発揮する。
【産業上の利用可能性】
【００３６】
本考案の保冷タオルは、例えば身体の首、頭部、顔、腕、手等の保冷用具として広範に応用可能である。
【符号の説明】
【００３７】
１    保冷タオル
１Ａ  保冷タオル
２    保冷材
３    側生地
４    通気孔
５    外周縁逢着部
６    添糸
７    縫い糸
１１    キルティング加工部
Ｌ    長さ
Ｗ    幅
【図１】
0003177064.tif 000003
【図２】
0003177064.tif 000004
【図３】
0003177064.tif 000005
【図４】
0003177064.tif 000006
【図５】
0003177064.tif 000007